(57)【特許請求の範囲】
【請求項１】
所定の縦幅を有する横長長尺の表面板及び裏面板であって少なくとも表面板が透明である両板の四辺を封止して構成したケースの内部空間を平板磁石の収納部とし、この収納部に、表裏方向に磁性を持つ複数の平板磁石を、表面（裏面）の極性がすべて同じ極となるように互いに間隔を空けて収納したことを特徴とする間柱等の磁性体の検知装置。
【請求項２】
平板磁石の収納部は、収納する上記平板磁石の大きさより少し大きい縦幅を有し、当該平板磁石が面方向に移動可能である請求項１記載の間柱等の磁性体の検知装置。
【請求項３】
各平板磁石が円形である請求項１または２記載の間柱等の磁性体の検知装置。
【請求項４】
表面板または／及び裏面板の長さ方向の一辺または両辺に目盛りを設けた請求項１から請求項３のいずれか１項記載の間柱等の磁性体の検知装置。
【発明の詳細な説明】
【技術分野】
【０００１】
この発明は、壁面や天井などの背後に隠れている柱、間柱などに打ち付けられた磁性体を磁石を用いて簡単に検知することのできる検知装置に関するものである。
【背景技術】
【０００２】
最近の住宅等の建築では、主柱の間に間柱を設け、各柱間に石膏ボード等を釘やネジ等で固定し、さらにその上から化粧クロスを貼り重ねて壁面の表面仕上げをしている。この壁面にエアコン等の機器を取り付けたり、時計や額を取り付けたりする場合、強度的な問題から、内側に隠れた柱に直接、釘やネジを打ち込む必要があるが、表面仕上げをした壁面では、背後にある柱の位置を見分けることはきわめて困難であった。
【０００３】
そのため、最も原始的な方法としては、壁面を手やハンマーで叩いたときの音の変化を聞き分けて、背後の柱の存在を確認することも行われているが、石膏ボード等の厚みがある壁材を使用している場合、その音の変化を聞き分けるためには、熟練を要していた。
【０００４】
このため、例えば特許文献１に示すように、壁の背後の柱があるか否かによって誘電率が異なることを利用した検知機が近年使用されている。これは、壁に沿って動かす電極板によって電界を発生させ、誘電率の変化を静電容量の変化として電極板でとらえて、静電容量の変化があれば、発光ダイオードなどを光らせることで、その位置に柱があると判別するものである。
【０００５】
また、もっと簡易なものとして、例えば特許文献２、３にあるように、磁石を使用したものも知られている。これらは、石膏ボードを固定している釘やネジなどの鉄、即ち磁性体の存在を磁石を用いて検出することで、磁石の動きによって該部に柱があると判断するものである。
【先行技術文献】
【特許文献】
【０００６】
【特許文献１】特公平７−４６１４２号公報
【特許文献２】特公昭５４−３５５０４号公報
【特許文献３】特開平１０−４８３４３号公報
【発明の概要】
【発明が解決しようとする課題】
【０００７】
しかし、特許文献１に示すような誘電率の変化を検知する装置は、構造が複雑で高価であり、業務用に用いることが一般的で、個人では利用が難しかった。一方、磁石を利用したものは、構造が比較的簡単であり、安価に製造できることから、個人で所有することも可能で、広く利用されている。
【０００８】
上述した磁石を使用した検知装置は、一般的には棒状の磁石が振り子のように揺動する構造を採用しており、壁の背後に隠れた金属製の下地や、釘、ネジなどの頭にその磁石が反応するもので、磁石の動きを目視で確認して、その位置を判断するものである。即ち、通常は単一の磁石を使用し、一つの釘やネジに対する反応を見るものである。ところが、釘やネジは、互いに相当の間隔をおいて打ち付けられているものであるので、最初に、一つの釘、ネジの頭を見つけるためには、壁面を縦横に広範囲になぞって、検知装置の反応を随時見る必要があり、極めて面倒な作業であった。さらに、間柱の間隔を知るためには、同様の作業を繰り返す必要があった。
【０００９】
本発明は、かかる課題を解決するもので、複数の磁石を用いて、一度に広範囲に渡る壁面を探索して、釘等の磁性体を検知し、間柱等の位置と間隔を同時に検知できるようにしたものである。
【課題を解決するための手段】
【００１０】
上記課題を解決するために、本発明は、間柱等の磁性体の検知装置として、所定の縦幅を有する横長長尺の表面板及び裏面板であって少なくとも表面板が透明である両板の四辺を封止して構成したケースの内部空間を平板磁石の収納部とし、この収納部に、表裏方向に磁性を持つ複数の平板磁石を、表面（裏面）の極性がすべて同じ極となるように互いに間隔を空けて収納するという手段を採用した。
【００１１】
そして、この平板磁石の収納部は、収納する上記平板磁石の大きさより少し大きい縦幅を有し、当該平板磁石が面方向に移動可能であるものとした。
【００１２】
かかる構成によれば、本検知装置を壁面に沿って移動させたとき、壁面のネジ等の磁性体に平板磁石が反応し、ネジのある部分の平板磁石のみが収納部内をネジの方向に移動してネジの存在、即ち間柱の存在を検知するものである。
【００１３】
また、各平板磁石が円形であることが好ましい。
【００１４】
さらに、表面板または／及び裏面板の長さ方向の一辺または両辺に目盛りを設けるという手段を採用した。
【００１５】
この目盛りを目安として、壁面にマークを付けるなどし、間柱の位置や間隔等を確認する。
【００１６】
なお、本発明は、本文中の説明において壁面を代表例としてこれに適用する場合について述べているが、説明した本発明の作用の奏することを条件として、例えば床面等においても使用できることは言うまでもない。
【発明の効果】
【００１７】
上記構成にかかる本発明の間柱等の磁性体の検知装置は、長尺な透明ケースに複数の平板磁石を並べて収納し、壁面に沿って移動させることで、壁面にネジ等の磁性体がある場合にその部分のみの平板磁石のみが移動することを確認して、ネジ等の磁性体の位置を検知できるものであるから、本装置の長さに相当する幅だけ壁面を一度に検知できるので、一回の操作で、広範囲に渡るネジの位置、即ち間柱の位置と間隔を同時に検知できるという優れた効果が期待できるものである。
【００１８】
従って、従来のような単一の磁石を用いるものに比べて、作業効率が大幅に増すと共に、検知精度も高くなるものである。
【００１９】
さらに、透明ケースと複数の平板磁石のみで構成でき、極めて簡単な構成であるから、安価に製造でき、一般に広く普及できるものである。
【００２０】
さらに、極めて簡単な操作で、誰にでも使用でき、簡便に間柱の検知ができる。
【図面の簡単な説明】
【００２１】
【図１】本発明に係る間柱等の磁性体の検知装置の実施形態を示すもので、（Ａ）はその正面図、（Ｂ）は底面図、（Ｃ）は（Ａ）の部分拡大図である。
【図２】（Ａ）は本検知装置を一部切欠して示す斜視図、（Ｂ）は収納する平板磁石の配置の説明図である。
【図３】本検知装置の使用方法の説明図である。
【発明を実施するための形態】
【００２２】
以下、本発明に係る間柱等の磁性体の検知装置について、その好ましい実施形態を添付図面に従って説明する。
【００２３】
図１、２において、１は透明板からなる中空のケースである。即ち、所定の縦幅を有する横長長尺の表面板１ａ及び裏面板１ｂと、それぞれの四辺に沿って挟定する細幅の側面板１ｃ、１ｃ・・・とからなり、四辺を側面板１ｃで封止した内部空間に平板磁石の収納部１ｄを形成したものである。その長さは特に限定するものではないが、一般的に間柱の間隔は４５５ｍｍに施工することが多いので、それより少し長尺な５００ｍｍ程度の長さとすることが好ましい。なお、少なくとも表面板１ａのみが透明であれば良く、裏面板が透明である必要はないが、両方の板が透明の場合には、表裏を考えることなく使用できることになる。
【００２４】
２、２・・・は上記ケース１の収納部１ｄに収納した多数の平板磁石であり、それぞれ表裏方向に磁性を持ち、例えば、図２（Ｂ）にあるように、表面をＮ極、裏面をＳ極とする。その個数は特に限定するものではないが、例えば、相互の間隔が５０ｍｍ程度となるように配列する。この平板磁石２は、収納したすべての平板磁石２の表面（裏面）の極性が同じ極（例えばＮ極）となるように収納部１ｄに並べて収納するようにし、また、その大きさは、収納部１ｄの縦幅より小さい大きさとして、収納部１ｄ内をその面方向に自由に移動できるようにしておく。そのため、平板磁石２はお互いに吸着することはなく、隣同士反発し合いながら、収納部１ｄ内に等間隔に並ぶことになる。なお、磁石の形状は特に限定するものではないが、図示したような円形であることが好ましい。
【００２５】
３はケース１の長さ方向の一側若しくは両側に設けた目盛りであり、これを利用して壁面にマークを付けることで間柱の位置及び間隔を知る目安とするものである。
【００２６】
次に、この検知装置の使用方法について図３を参照して説明する。基本的には、本装置を横長水平に保持し、壁面に沿って上下方向に移動させるようにして使用する。
【００２７】
一般的な施工においては、間柱（Ｈ）は垂直方向に設けられるから、石膏ボード（Ｂ）を止めるネジ（Ｓ）も垂直方向に等間隔に並んでいる。また、間柱相互間の間隔も同じであるから、ネジ（Ｓ）は水平方向にも等間隔に並んでいる。このネジ（Ｓ）は通常、鉄などの磁性体からなるから、磁石が吸着する。従って、本検知装置を壁面に沿って下から上方向に動かしていくと、ネジ（Ｓ）のないところでは、検知装置内の各平板磁石２、２・・は、重力に従い、収納部１ｄ内で、下辺に沿って水平に並んでいる。検知装置がネジ（Ｓ）のある部分に近づくと、ネジ（Ｓ）の近くにある一部の平板磁石２のみが、その重力に反して、ネジ（Ｓ）の頭に吸着し、上方に移動する（図示した状態）。そのため、平板磁石２の移動方向にネジ（Ｓ）の頭があることが検知され、該部の裏側に間柱（Ｈ）が存在することを検知できる。実際には、その検知部分で、この検知装置を上下左右に少しずつ動かすことで、平板磁石２の動きを見て、ネジ（Ｓ）の正確な位置を検知することができる。そして、検知した位置に目盛り３を利用して鉛筆などでマークを付けておく。この場合、検知装置は横長に使用するので、所定の間隔をおいて複数の平板磁石２が反応して移動することになる。これによって、間柱相互間の間隔も同時に検知できる。
【００２８】
従って、本検知装置によれば、所定幅を一度に検知できるので、従来と異なり、間柱の位置と間隔を同時に知ることが可能であり、非常に便利である。また、構造が簡単であり、誰にでも容易に操作可能である。
【００２９】
なお、本発明装置は、実施形態で説明した壁面に適用できるほか、その作用の奏することを条件に、例えば床面等における磁性体の検知にも利用でき、その応用範囲は広い。
【符号の説明】
【００３０】
１    ケース
１ａ  表面板
１ｂ  裏面板
１ｃ  側面板
１ｄ  収納部
２    平板磁石
３    目盛り
【図１】
0005379260.tif 000002
【図２】
0005379260.tif 000003
【図３】
0005379260.tif 000004